(57)【要約】【課題】  蓄冷物を交換する際、外気の流れ込みを防ぎ果物などを長期間保冷できる保冷容器を提供する。【解決手段】  果物等の被保冷物１４を収容する保冷箱本体１と、該保冷箱本体の開口部を密閉する蓋２に前記被保冷物を保冷する蓄冷物１０を収納するための蓄冷物収納部５と、該蓄冷物収納部から保冷箱本体に冷気を送る通気孔４を設ける構造とした。【選択図】図１
2009012852.tif 000002
【特許請求の範囲】
【請求項１】
果物等の被保冷物を収容する保冷箱本体と、該箱本体の開口部を密閉する蓋に前記被保冷物を保冷する蓄冷物を収納するための蓄冷物収納部と、該蓄冷物収納部から保冷箱本体に冷気を送る通気孔を設けたことを特徴とする保冷容器。
【請求項２】
前記保冷箱本体の側面に持ち運ぶための凹状の手持ち部を設け、該手持ち部の上辺両側に切れ込み状にした固定バンド掛け部を設けたことを特徴とする請求項１記載の保冷容器。
【請求項３】
一端を前記固定バンド掛け部に引っ掛け他端を反対側の固定バンド掛け部に引っ掛けるとともに、蓋と蓄冷物収納蓋の上面を同時に固定することを特徴とする請求項１、又は請求項２記載の保冷容器。
【請求項４】
前記固定バンドに記録プレートを取り付けたことを特徴とする請求項２、又は請求項３記載の保冷容器。
【発明の詳細な説明】
【技術分野】
【０００１】  本発明は、食料品などを低温で長期間保存するための保冷容器に関するものである。
【背景技術】
【０００２】  一般に、この種の保冷容器はダンボール箱の内側に発泡スチロール樹脂などの断熱材を貼り付けて蓋をするものや、発泡スチロール樹脂製の箱に保冷剤パックやドライアイス等の蓄冷物を入れて蓋をして密閉保存するたものが知られている。【０００３】  このような保冷容器に関する技術が特許文献１に開示されている。
【特許文献１】  特開平１０−１７０３２号公報
【発明の開示】
【課題が解決しようとする課題】
【０００４】  上記の従来の保冷容器は保冷容器内に被保冷物と蓄冷物を直接同じ空間に入れる構造となっている。果物などを長期保存するために蓄冷物を新しいものに交換しようとした場合に蓋を開けると開口部から一気に外気が流れ込み、保冷容器内が外気温度と同じになってしまい保冷効率が落ちることになる。
【０００５】  そこで本発明は、このような課題を解決するためになされたものであり、被保冷物を出し入れする時に開ける蓋に蓄冷物収納部を設け、蓄冷物を交換する際に、冷気の流れ込みを防止することによって保冷効率を上げて果物等を長期間保存することを目的とするものである。
【課題を解決する手段】
【０００６】  かかる目的を達成するために本発明に係る保冷容器は、果物等の被保冷物を収容する保冷箱本体と、該箱本体の開口部を密閉する蓋に前記被保冷物を保冷する蓄冷物を収納するための蓄冷物収納部と、該蓄冷物収納部から保冷箱本体に冷気を送る通気孔を設ける構造とした。
【０００７】  しかも、前記保冷箱本体の側面に持ち運ぶための凹状の手持ち部を設け、該手持ち部の上辺両側に切れ込み状にした固定バンド掛け部を設ける構造とした。
【０００８】  さらに、一端を前記固定バンド掛け部に引っ掛け他端を反対側の固定バンド掛け部に引っ掛けるとともに、蓋と蓄冷物収納蓋の上面を同時に固定する構造とした。
【０００９】  また、前記固定バンドに記録プレートを取り付ける構造とした。
【発明の効果】
【００１０】  以上に述べたように本発明に係る保冷容器は、被保冷物を出し入れする蓋内に、さらに蓄冷物のみを交換できる蓄冷物収納蓋を設ける構造としたため、蓄冷物を交換する場合に蓄冷物収納蓋のみを開けて蓄冷物を交換できる。その間、被保冷物が直接外気と触れることがないため保冷箱本体内部の温度上昇を抑えることができ、保冷効率を上げ被保存物の鮮度を落とすことなく長期保存が可能である。しかも、固定バンドにより蓋と蓄冷物収納蓋を同時に固定できる構造としたため、簡単にしっかり密閉できる。さらに固定バンドと記録プレートを一体化することにより、記録プレートを取り付ける作業が簡素化される。よた、凹状の手持ち部に固定バンド掛け部を設けたことにより保冷箱本体外観に凸部がないため限られたスペースでも多くの保冷箱を載置することができるという優れた効果を有するものである。
【発明を実施するための最良の形態】
【００１１】  図１、図２、図３は本実施例を示す図であり、この図に基づき説明する。
１は保冷箱本体である。保冷箱本体は発泡スチロールで成型され、内壁面１５にはウレタン塗装が施されている。上部に開口部を設け、開口部の上面周囲には嵌合部１１を設ける。側面には持ち運ぶための手持ち部９を凹状に設ける。手持ち部９の上辺には両側に切れ込み状にした固定バンド掛け部８を設ける。【００１２】  ２は保冷箱本体１の開口部を上方から密閉するための蓋である。蓋２の底面周囲には溝部があり保冷箱本体１の嵌合部１１と嵌合することで被保冷物１４を密閉する。蓋２は密閉性を上げるため、底面外周にゴム製シール部材（図示せず）を設けてもよい。蓋２の中央には蓄冷物収納部５を凹状に設ける。蓄冷物収納部５は食品など被保冷物に冷気を一定時間供給できる保冷パックやドライアイスなどの蓄冷物１０を収納し定期的に入れ替えできるようになっている。蓄冷物収納部５の底面には通気孔４を複数個設け保冷箱本体１内に冷気を循環させることができる。３は蓄冷物収納蓋である。蓄冷物収納蓋３には溝部７を設け、蓄冷物収納部５の内部に設けた第２嵌合部６を嵌合させることで蓄冷物１０を密閉できる。【００１３】  図３には、被保冷物１４を保冷箱本体１内部に収納した後、蓋２を固定する固定バンド３が示させている。固定バンド３は一端を手持ち部９の上辺には位置する固定バンド掛け部８に引っ掛け、他端を蓄冷物収納蓋３の上面を介して反対側の固定バンド掛け部８に引っ掛ける。固定バンド１２には記録プレート１３を設け、被保冷物１４の品名や収穫日などを記載したりラベル等を貼り付けることができる。【００１４】  本発明の使用方法について説明する。先ず、蓋２を開けて保冷箱本体１に被保冷物１４を収納する。次に蓋２を閉めて密閉する。次に蓄冷物収納部５に保冷パックやドライアイスなどの蓄冷物１０を置き、蓄冷物収納蓋３を上から被せで密閉する。この状態で蓄冷物１０の冷気が通気孔４を介して保冷箱本体１内部に行き渡り、被保冷物１４が保冷される。そして、固定バンド１２を固定バンド掛け部８に引っ掛け、蓋２及び蓄冷物収納蓋３を固定する。【００１５】  一定の期間が過ぎ蓄冷物１０を交換する場合には、蓄冷物収納蓋３のみを開けて蓄冷物１０を交換できる。蓋２を開けることなく蓄冷物１０を交換できるため、保冷箱本体１内部の温度上昇を抑えることができる。【００１６】  被保冷物１４を取り出す場合には上記と逆の手順をとる。すなわち、固定バンド掛け部８から固定バンド１２を外す。次に蓋２を上方に引き上げ被保冷物１４を取り出す。【００１７】  なお、保冷箱本体１、蓋２、蓄冷物収納蓋３は上記の発泡スチロール製に限らず、断熱性のプラスチックやダンボールで形成してもよい。さらに、蓋２、蓄冷物収納蓋３全体をゴム製にしてもよい。【００１８】  したがって、本発明の保冷容器によれば、蓄冷物１０を交換する際、蓋２を開けることなく蓄冷物１０を交換できるため、保冷箱本体１内部の温度上昇を抑えることができるため、保冷効率を向上させ被保存物の鮮度を落とすことなく長期保存が可能である。
【図面の簡単な説明】
【００１９】
【図１】本発明に係る保冷容器を示す斜視図である。
【図２】図１のＡ―Ａ断面図である。
【図３】本発明に係る保冷容器の使用状態を示す斜視図である。
【符号の説明】
【００２０】  １  保冷箱本体
２  蓋
３  蓄冷物収納蓋
４  通気孔
５  蓄冷物収納部
６  第２嵌合部
７  溝部
８  固定バンド掛け部
９  手持ち部
１０  蓄冷物
１１  嵌合部
１２  固定バンド
１３  記録プレート
１４  被保冷物
１５  内壁面
【図１】
2009012852.tif 000003
【図２】
2009012852.tif 000004
【図３】
2009012852.tif 000005